(57)【要約】【課題】再生内容を容易に切替えることが可能となるメディアプレーヤーなどを提供する。【解決手段】外部記憶媒体を着脱可能であって、装着された前記外部記憶媒体に格納された再生手順を示すプレイファイルに従って再生を行う再生部を備えるメディアプレーヤーとする。【選択図】図２
2014191429.tif 000002
【特許請求の範囲】
【請求項１】
外部記憶媒体を着脱可能であって、
装着された前記外部記憶媒体に格納された再生手順を示すプレイファイルに従って再生を行う再生部を備えることを特徴とするメディアプレーヤー。
【請求項２】
前記外部記憶媒体に格納される前記プレイファイルは、少なくとも外部から送られるコマンドによって実行が指定されるコマンド指定ファイルであることを特徴とする請求項１に記載のメディアプレーヤー。
【請求項３】
前記再生部は、前記コマンドが送られた場合、所定の自動実行用ファイルに従った再生から前記コマンド指定ファイルに従った再生に切替え、当該再生が終了すると前記自動実行用ファイルに従った再生に戻ることを特徴とする請求項２に記載のメディアプレーヤー。
【請求項４】
前記外部記憶媒体に前記自動実行用ファイルが前記プレイファイルとして格納されることを特徴とする請求項３に記載のメディアプレーヤー。
【請求項５】
請求項１〜請求項４のいずれか１項に記載のメディアプレーヤーと、前記メディアプレーヤーが有する再生部によって再生された映像を表示する表示部と、を備える表示装置。
【請求項６】
外部記憶媒体を着脱可能であって、装着された前記外部記憶媒体に格納された再生手順を示すプレイファイルに従って再生を行う再生部を備えるメディアプレーヤーと、
前記再生部によって再生された映像を表示する表示部と、を備えることを特徴とする自動販売機。
【請求項７】
操作部を更に備え、
前記外部記憶媒体に格納される前記プレイファイルは、少なくとも前記操作部の操作に応じて前記メディアプレーヤー外部から送られるコマンドによって実行が指定されるコマンド指定ファイルであることを特徴とする請求項６に記載の自動販売機。
【請求項８】
前記操作部は、購入する商品を選択するためのものであることを特徴とする請求項７に記載の自動販売機。
【請求項９】
前記再生部は、前記コマンドが送られた場合、所定の自動実行用ファイルに従った再生から前記コマンド指定ファイルに従った再生に切替え、当該再生が終了すると前記自動実行用ファイルに従った再生に戻ることを特徴とする請求項７又は請求項８に記載の自動販売機。
【請求項１０】
前記外部記憶媒体に前記自動実行用ファイルが前記プレイファイルとして格納されることを特徴とする請求項９に記載の自動販売機。
【発明の詳細な説明】
【技術分野】
【０００１】
本発明は、メディアプレーヤーに関する。
【背景技術】
【０００２】
近年、液晶ディスプレイなどを用いたデジタルサイネージ（電子看板）が公共スペースなどで普及している。
【０００３】
このようなデジタルサイネージを利用した自動販売機が例えば、非特許文献１に開示されている。非特許文献１の自動販売機では、液晶ディスプレイを備え、販売する飲料商品の銘柄を選択ボタンと共に画像で表示させたり、広告画面などの様々な情報を利用者に提供するものとしている。
【先行技術文献】
【非特許文献】
【０００４】
【非特許文献１】“デジタルサイネージ自動販売機「ＪＸ３４」”富士電機技報  ２０１２  vol.85 no.5
【発明の概要】
【発明が解決しようとする課題】
【０００５】
このようなデジタルサイネージを利用した自動販売機では、商品の切替などのときに映像の表示内容を切替える必要があるが、その際に例えばサービスマンなどにとって容易に切り替えを行えることが要望される。
【０００６】
そこで、本発明は、再生内容を容易に切替えることが可能となるメディアプレーヤー、自動販売機などを提供することを目的とする。
【課題を解決するための手段】
【０００７】
上記目的を達成するために本発明の一態様に係るメディアプレーヤーは、外部記憶媒体を着脱可能であって、装着された前記外部記憶媒体に格納された再生手順を示すプレイファイルに従って再生を行う再生部を備える構成としている。
【０００８】
このような構成によれば、装着されている外部記憶媒体を取り外し、新たなプレイファイルが格納された他の外部記憶媒体を装着すれば、再生内容を切替えることができる。従って、容易に再生内容を切替えることができる。
【０００９】
また、上記構成において、前記外部記憶媒体に格納される前記プレイファイルは、少なくとも外部から送られるコマンドによって実行が指定されるコマンド指定ファイルであることとしてもよい。
【００１０】
このような構成によれば、メディアプレーヤー外部から送られるコマンドによって再生内容を切替えることができ、外部記憶媒体の脱着によってコマンド指定ファイルの更新が容易に行える。
【００１１】
また、上記構成において、前記再生部は、前記コマンドが送られた場合、所定の自動実行用ファイルに従った再生から前記コマンド指定ファイルに従った再生に切替え、当該再生が終了すると前記自動実行用ファイルに従った再生に戻ることとしてもよい。
【００１２】
このような構成によれば、基本的には自動実行用ファイルに従って再生し、コマンドが送られた場合にコマンド指定ファイルに従った再生に一時的に切替えることができる。
【００１３】
また、上記構成において、前記外部記憶媒体に前記自動実行用ファイルが前記プレイファイルとして格納されることとしてもよい。
【００１４】
このような構成によれば、外部記憶媒体の脱着によって自動実行用ファイルを容易に更新し、自動実行用ファイルによる再生内容を切替えることができる。
【００１５】
また、本発明の一態様に係る表示装置は、上記いずれかの構成のメディアプレーヤーと、前記メディアプレーヤーが有する再生部によって再生された映像を表示する表示部と、を備える構成としている。
【００１６】
また、本発明の一態様に係る自動販売機は、外部記憶媒体を着脱可能であって、装着された前記外部記憶媒体に格納された再生手順を示すプレイファイルに従って再生を行う再生部を備えるメディアプレーヤーと、前記再生部によって再生された映像を表示する表示部と、を備える構成としている。
【００１７】
このような構成によれば、例えばサービスマンが、装着されている外部記憶媒体を取り外し、新たなプレイファイルが格納された他の外部記憶媒体を装着すれば、再生内容を切替えることができる。従って、容易に映像表示内容を切替えることができ、自動販売機のメンテナンス性が向上する。
【００１８】
また、上記構成において、操作部を更に備え、前記外部記憶媒体に格納される前記プレイファイルは、少なくとも前記操作部の操作に応じて前記メディアプレーヤー外部から送られるコマンドによって実行が指定されるコマンド指定ファイルであることとしてもよい。
【００１９】
このような構成によれば、操作部における利用者の操作に応じて、映像表示内容を切替えることができ、利用者にとって有用なものとなる。そして、外部記憶媒体の脱着によってコマンド指定ファイルの更新を容易に行える。
【００２０】
また、上記構成において、前記操作部は、購入する商品を選択するためのものであることとしてもよい。
【００２１】
このような構成によれば、利用者が選択した商品に応じた映像内容が表示されるので、利用者は商品に関する情報を取得できる。
【００２２】
また、上記いずれかの構成において、前記再生部は、前記コマンドが送られた場合、所定の自動実行用ファイルに従った再生から前記コマンド指定ファイルに従った再生に切替え、当該再生が終了すると前記自動実行用ファイルに従った再生に戻ることとしてもよい。
【００２３】
このような構成によれば、基本的には自動実行用ファイルに従った再生内容で映像が表示され、操作部が操作されてコマンドが送られた場合にコマンド指定ファイルに従った再生に一時的に切替えることができる。
【００２４】
また、上記構成において、前記外部記憶媒体に前記自動実行用ファイルが前記プレイファイルとして格納されることとしてもよい。
【００２５】
このような構成によれば、外部記憶媒体の脱着によって自動実行用ファイルを容易に更新し、自動実行用ファイルによる再生内容を切替えることができる。
【発明の効果】
【００２６】
本発明によると、再生内容を容易に切替えることが可能となる。
【図面の簡単な説明】
【００２７】
【図１】本発明の一実施形態に係る自動販売機の概略正面図である。
【図２】本発明の一実施形態に係る自動販売機のブロック構成図である。
【図３】ＵＳＢメモリの格納内容の一例を示す図である。
【図４】自動実行用スクリプトファイルの内容の一例を示す図である。
【図５】コマンド指定スクリプトファイルの内容の一例を示す図である。
【図６】スライドショーパターンの一例を示す図である。
【発明を実施するための形態】
【００２８】
以下に本発明の一実施形態について図面を参照して説明する。本発明の一実施形態に係る自動販売機の概略正面図を図１に示す。
【００２９】
図１に示す自動販売機１０の正面に、飲料商品のサンプルを複数陳列したサンプル棚１０１が設けられる。サンプル棚１０１に陳列された各飲料商品に対応して配列された、購入する飲料商品を選択するための選択ボタン１０２がサンプル棚１０１の近傍下方に設けられる。
【００３０】
金額表示部１０３は、コインや紙幣の投入金額や、飲料商品購入後の残金などを表示する。金額表示部１０３の周辺には、コインを投入するためのコイン投入口１０４、釣銭を返却するための返却レバー１０５、及び紙幣を挿入するための紙幣挿入口１０６が配置される。
【００３１】
また、自動販売機１０の底面近くには、飲料商品が搬送されて利用者が飲料商品を取り出すための商品取り出し口１０７、及び釣銭を取り出すための釣銭取り出し口１０８が配置される。
【００３２】
そして、サンプル棚１０１の上方には、ＬＣＤ（液晶表示ディスプレイ）８が設けられる。ＬＣＤ８には、例えば、定常的に表示される広告情報や、利用者が選択した飲料商品に関する情報などの各種情報が表示される。
【００３３】
なお、サンプル棚１０１を設けずに、陳列された飲料商品の映像をＬＣＤに表示させるようにしてもよい。
【００３４】
次に、自動販売機１０のブロック構成を図２に示す。図２に示すように、自動販売機１０は、自販機制御用マイコンボード１と、ボタン操作部２と、金額表示部３と、コイン識別部４と、紙幣識別部５と、モニタ（表示装置）６を備えている。
【００３５】
ボタン操作部２は、選択ボタン１０２（図１）を有した操作部であり、操作に応じた操作信号を自販機制御用マイコンボード１に送る。
【００３６】
金額表示部３は、先述した金額表示部１０３（図１）と同じものである。コイン識別部４は、コイン投入口１０４に投入されたコインの種別を識別し、識別結果を自販機制御用マイコンボード１に送る。紙幣識別部５は、紙幣挿入口１０６に挿入された紙幣の種別を識別し、識別結果を自販機制御用マイコンボード１に送る。
【００３７】
自販機制御用マイコンボード１は、ボタン操作部２、金額表示部３、コイン識別部４、紙幣識別部５、及び図示していない商品搬送部や商品冷却（又は加熱）部などの各構成部を用いて、自動販売機１０としての基本機能を実現するよう制御を行う。
【００３８】
モニタ６は、メディアプレーヤー７を内蔵し、その他にＬＣＤ８及びスピーカー９を備えている。
【００３９】
メディアプレーヤー７は、シリアル通信コントローラ７１と、マイコン７２と、ＲＡＭ７３と、ＲＯＭ７４と、ＵＳＢ（Universal Serial Bus）インタフェース７５と、音声処理部７６と、映像処理部７７を備えている。メディアプレーヤー７は、例えば、ＳＯＣ（System On Chip）で構成することができる。
【００４０】
シリアル通信コントローラ７１は、自販機制御用マイコンボード１との間でシリアル通信によって通信を行う通信回路であって、例えばＵＡＲＴ（Universal Asynchronous Receiver Transmitter）が用いられる。シリアル通信の規格としては、例えばＲＳ２３２Ｃを用いる。
【００４１】
マイコン７２は、メディアプレーヤー７の各部を制御する制御装置である。ＲＡＭ７３は、マイコン７２のワークメモリなどとして用いられる。ＲＯＭ７４は、マイコン７２が実行する制御プログラムなどを格納する。
【００４２】
ＵＳＢインタフェース７５は、可搬型外部記憶媒体であるＵＳＢメモリ２０を着脱することが可能であり、装着されたＵＳＢメモリ２０と通信を行う。ＵＳＢメモリ２０は、サービスマンなどによって自動販売機１０の筐体外部からＵＳＢインタフェース７５に着脱可能となっている。
【００４３】
音声処理部７６は、例えば、ｍｐ３ファイルやｍｐ４ファイルの圧縮音声データを伸長したり、音声データをスピーカー９に適した音声信号に変換することを行う。スピーカー９は、音声処理部７６から入力される音声信号に基づき音声を発生する。
【００４４】
映像処理部７７は、例えば、ｍｐ４ファイルの圧縮動画データを伸長したり、動画データやＪＰＥＧ形式の静止画データをＬＣＤ８での表示に適した映像信号（ＤＶＩ（Digital Visual Interface）など）に変換することを行う。ＬＣＤ８は、映像処理部７７から入力される映像信号に基づき映像を表示し、例えばフルＨＤでの高解像度で映像を表示する。
【００４５】
次に、ＵＳＢメモリ２０を用いた再生制御について説明する。ＵＳＢメモリ２０に格納されるデータの一例を図３に示す。
【００４６】
図３に示す“\autoplay”は、動画ファイルなどの再生手順を示すプレイファイルを格納するフォルダである。フォルダ“\autoplay”には、プレイファイルである“autoplay.scr”、“play_cmd1.scr”及び“play_cmd2.scr”が格納される。
【００４７】
“autoplay.scr”は、マイコン７２が自動実行するための自動実行用スクリプトファイルである。
【００４８】
“play_cmd1.scr”及び“play_cmd2.scr”は、自販機制御用マイコンボード１からシリアル通信によって送られるコマンドによってマイコン７２による実行が指定されるコマンド指定スクリプトファイルである。
【００４９】
また、図３に示す“”は、“\autoplay”に格納されたプレイファイルの実行により再生される動画ファイルが格納されるフォルダである。図３の例では、フォルダ“”には、ｍｐ４ファイルである“prog1.mp4”、“prog2.mp4”、及び“prog3.mp4”が格納される。
【００５０】
なお、図３で示す以外にも、プレイファイルの実行により再生される静止画ファイル（ＪＰＥＧファイルなど）を格納するフォルダや、プレイファイルの実行により再生される音声ファイル（ｍｐ３ファイルなど）を格納するフォルダをＵＳＢメモリ２０に格納してもよい。
【００５１】
ここで、自動実行用スクリプトファイル“autoplay.scr”の内容の一例を図４に示す。図４に示す１行目はコメントを示す。そして、図４に示す２行目は、８時５０分まで待機する指令を示す。３行目は、ＪＰＥＧファイル“photo1.jpg”を９時まで再生する指令を示す。４行目は、ｍｐ４ファイル“prog1.mp4”を１０時まで再生する指令を示す。以降指令が続き、２１行目は、ｍｐ４ファイル“prog3.mp4”を２３時５９分まで再生する指令を示す。２２行目は、モニタ６の電源を８時にオンとするようタイマ（不図示）を設定する指令を示す。そして、２３行目は、モニタ６の電源をオフとする指令を示す。
【００５２】
図４に示す“autoplay.scr”を実行すると、まずマイコン７２は８時５０分まで待機する。そして、マイコン７２は、ＵＳＢメモリ２０に格納されたＪＰＥＧファイル“photo1.jpg”を９時まで再生させる。これにより、ＬＣＤ８には、例えば「現在準備中です」などの表示がされる。
【００５３】
次に、マイコン７２は、ＵＳＢメモリ２０に格納されたｍｐ４ファイル“prog1.mp4”を１０時まで再生させる。これにより、ＬＣＤ８には、例えば広告の動画が表示される。
【００５４】
その後、マイコン７２は順次指令を実行してゆき、２１行目の指令の実行によりＵＳＢメモリ２０に格納されたｍｐ４ファイル“prog3.mp4”を２３時５９分まで再生させる。
【００５５】
そして、２２行目の指令の実行によりマイコン７２は、モニタ６の電源を８時にオンとするようタイマを設定してから、モニタ６の電源をオフする。この後、８時になればタイマによってマイコン７２がモニタ６の電源をオンとし、マイコン７２は再度“autoplay.scr”の最初の指令から実行してゆく。
【００５６】
なお、先述したように飲料商品のサンプルを陳列するサンプル棚１０１（図１）を設けない場合は、飲料商品を陳列した様子を示す映像を再生するよう“autoplay.scr”に指令を記述してもよい。
【００５７】
マイコン７２は基本的に上記のように“autoplay.scr”を実行している。ここで、ボタン操作部２において選択ボタン１０２（図１）が押されると、押された選択ボタン１０２に応じたコマンドを自販機制御用マイコンボード１はシリアル通信によってメディアプレーヤー７に送る。マイコン７２は、シリアル通信コントローラ７１を介してコマンドを受け取ると、受け取ったコマンドに応じたＵＳＢメモリ２０に格納されたコマンド指定スクリプトファイルの実行に移行する。
【００５８】
図３の例であれば、例えばコマンド“CF CMDPLAY 001”が自販機制御用マイコンボード１から送られた場合は、“play_cmd1.scr”を実行し、コマンド“CF CMDPLAY 002”が送られた場合は、“play_cmd2.scr”を実行する。
【００５９】
“play_cmd1.scr”の内容の一例を図５に示す。図５に示す１行目はコメントであり、２行目は静止画のスライドショーパターンの指定を示す。３行目は、１分間待機する指令を示す。４行目は、ＪＰＥＧファイル“photo1.jpg”を１０秒間再生する指令を示す。５行目は、ＪＰＥＧファイル“photo2.jpg”を３０秒間再生する指令を示す。“photo1.jpg”及び“photo2.jpg”は、例えば飲料商品の説明に関する画像などとする。
【００６０】
ここで、上記スライドショーパターンの一例を図６に示す。図６は、１８パターンのスライドショーパターンを示す。そして、図６において、ハッチングは最初に表示される表示領域を示し、矢印の方向に表示領域が拡大されて最後は画面全体に表示されることを示す。例えば、図５に示すスクリプトファイルであれば、パターン番号１が指定されているので、画面右下のハッチングの領域にまず“photo1.jpg”の画像が表示され、左上へ広がるように“photo1.jpg”が画面全体まで表示される。“photo2.jpg”も同様に表示される。これにより、利用者にとって視覚的効果の大きい表示となる。
【００６１】
これにより、利用者が選択ボタン１０２を押すと、押された選択ボタン１０２に対応する飲料商品に関する映像の、コマンド指定スクリプトファイルに記述された再生手順に従った表示に、“autoplay.scr”の実行による表示から切替わる。これにより、利用者は選択した商品に関する情報を取得できる。
【００６２】
コマンド指定スクリプトファイルの実行が終了すると、マイコン７２は“autoplay.scr”の実行を継続する。従って、“autoplay.scr”の実行による定常的な表示に切替わる。
【００６３】
なお、コマンド指定スクリプトファイルにおいては、例えば所定の複数のファイルを順に所定回数繰り返して再生するような指令を記述してもよい。
【００６４】
飲料商品の切替や季節の変化などのタイミングで映像表示内容を切替える際、例えば自動販売機のサービスマンは、現在装着されているＵＳＢメモリ２０を取り外し、更新されたプレイファイルである自動実行用スクリプトファイルやコマンド指定スクリプトファイル、及び動画ファイル等の再生対象ファイルが格納された他のＵＳＢメモリ２０を装着すればよい。従って、容易に映像表示内容を切替えることが可能となり、自動販売機のメンテナンス性が向上する。
【００６５】
以上、本発明の実施形態について説明したが、本発明の趣旨の範囲内であれば、実施形態は種々変形が可能である。
【００６６】
例えば、自動実行用スクリプトファイル、コマンド指定スクリプトファイルのいずれか、及びそれに対応する再生対象ファイルについてはＵＳＢメモリ２０ではなく、ＲＯＭ７４に格納してもよい。
【００６７】
また、外部記憶媒体としてはＵＳＢメモリに限らず、例えばＳＤメモリカードなどを用いてもよい。
【符号の説明】
【００６８】
１  自販機制御用マイコンボード
６  モニタ
７  メディアプレーヤー
８  ＬＣＤ（液晶表示ディスプレイ）
１０  自動販売機
２０  ＵＳＢメモリ
１０１  サンプル棚
１０２  選択ボタン
【図１】
2014191429.tif 000003
【図２】
2014191429.tif 000004
【図３】
2014191429.tif 000005
【図４】
2014191429.tif 000006
【図５】
2014191429.tif 000007
【図６】
2014191429.tif 000008